(57)【要約】【課題】省エネルギーが図れ、ペットの糞尿や習性などに起因する装置の故障が生じないペット用暖房装置を提供する【解決手段】下面開口の溝部を有する反射部材と、前記溝部の内周面から離隔して設けられた赤外線放射部材とを有する装置本体、そして前記装置本体を昇降可能に支持する支持手段を備えたことを特徴とする。ここで、前記支持手段が転倒検知センサーを備え、前記転倒検知センサーで前記支持手段の転倒が検知されると、前記装置本体への電力供給が切断されるようにするのが好ましい。【選択図】図１
2016036325.tif 000002
【特許請求の範囲】
【請求項１】
下面開口の溝部を有する反射部材と、前記溝部の内周面から離隔して設けられた赤外線放射部材とを有する装置本体と、
前記装置本体を昇降可能に支持する支持手段と
を備えたことを特徴とするペット用暖房装置。
【請求項２】
前記支持手段が転倒検知センサーを備え、前記転倒検知センサーで前記支持手段の転倒が検知されると、前記装置本体への電力供給が切断される請求項１記載のペット用暖房装置。
【請求項３】
前記支持手段が、基部と、前記基部に接続された、前記装置本体を昇降可能に支持する支持部とを有する請求項１又は２記載のペット用暖房装置。
【請求項４】
前記装置本体及び前記支持手段の表面の少なくとも一部に消臭層が形成されている請求項１〜３のいずれかに記載のペット用暖房装置。
【請求項５】
送風手段をさらに備える請求項１〜４のいずれかに記載のペット用暖房装置。
【請求項６】
前記溝部及び前記赤外線放射部材が円周状であり、
前記送風手段からの空気が送り出される送風口が、前記円周状の溝部で囲われた部分に形成されている請求項５記載のペット用暖房装置。
【発明の詳細な説明】
【技術分野】
【０００１】
本発明はペット用暖房装置に関するものである。
【背景技術】
【０００２】
近年、癒しや孤独の解消などの効果が得られることから、犬や猫などのペットを室内で飼う人が急激に増加している。室内でペットを飼う場合、冬場は、転倒などによる火災事故をおそれて、通常、床置き型暖房器は使用せず、エアコンディショナー（以下、「エアコン」と記すことがある）を用いて暖房している。
【０００３】
しかし、エアコンは部屋全体の暖房するため多くのエネルギーを要する。加えて、人が居ないときにもエアコンを稼働させなければならず、近年の省エネルギーという社会的要求に反していた。
【０００４】
そこで、ペルチェ素子などの冷却・加熱部材を用いた敷物式のペット用冷暖房具が提案されている（例えば、特許文献１，２を参照）。
【先行技術文献】
【特許文献】
【０００５】
【特許文献１】特開2000-116263号公報
【特許文献２】特開2005-229892号公報
【発明の概要】
【発明が解決しようとする課題】
【０００６】
前記提案の敷物式のペット用冷暖房具によれば、所定領域のみ冷却・暖房されるので省エネルギーが図れるが、敷物である冷暖房具の上にペットが乗るため糞尿による装置の汚れや故障が懸念される。また、ペットの種類によっては噛み付きや爪研ぎなどの習性による装置の故障も起こり得る。
【０００７】
本発明の目的は、このような従来の問題に鑑みてなされたものであり、省エネルギーが図れ、しかもペットの糞尿や習性などに起因する装置の故障が生じないペット用暖房装置を提供することにある。
【課題を解決するための手段】
【０００８】
前記目的を達成する本発明に係るペット用暖房装置は、下面開口の溝部を有する反射部材と、前記溝部の内周面から離隔して設けられた赤外線放射部材とを有する装置本体と、前記装置本体を昇降可能に支持する支持手段とを備えたことを特徴とする。
【０００９】
ここで、装置の安全性を高める観点から、前記支持手段に転倒検知センサーを設け、前記転倒検知センサーで前記支持手段の転倒が検知されると、前記装置本体への電力供給が切断されるようにするのが好ましい。
【００１０】
また、前記支持手段が、基部と、前記基部に接続された、前記装置本体を昇降可能に支持する支持部とを有するものであってもよい。
【００１１】
そしてまた、前記装置本体及び前記支持手段の表面の少なくとも一部に消臭層が形成されていてもよい。
【００１２】
また、送風手段をさらに備えた構成としてもよい。
【００１３】
この場合、前記溝部及び前記赤外線放射部材を円周状とし、前記送風手段からの空気が送り出される送風口を、前記円周状の溝部で囲われた部分に形成するのが好ましい。
【発明の効果】
【００１４】
本発明に係るペット用暖房装置では、赤外線放射部材から出射した赤外線の照射領域のみが暖まるので、省エネルギー化が図れる。また、装置本体が支持部材に昇降可能に支持されているので、装置本体をペットが触れることができない高さ位置に配置することにより、ペットの糞尿や習性などに起因する装置の故障が生じない。
【図面の簡単な説明】
【００１５】
【図１】本発明の暖房装置の第１実施形態を示す構成図である。
【図２】図１の暖房装置における装置本体の垂直断面図である。
【図３】図２の装置本体の斜め下方から見た斜視図である。
【図４】転倒検知センサーの一例を示す部分斜視図である。
【図５】本発明の暖房装置の第２実施形態を示す構成図である。
【図６】本発明の暖房装置の第３実施形態を示す構成図である。
【図７】本発明の暖房装置の第４実施形態を示す構成図である。
【図８】本発明の暖房装置の第５実施形態を示す構成図である。
【発明を実施するための形態】
【００１６】
以下、本発明に係る暖房装置について図に基づいて説明するが本発明はこれらの実施形態に何ら限定されるものではない。
【００１７】
（第１実施形態）
図１に、本発明の暖房装置の第１実施形態を示す構成図を、図２に装置本体の垂直断面図を、図３に装置本体を斜め下方から見た斜視図をそれぞれ示す。
【００１８】
図１に示す暖房装置は、装置本体１が支持手段２ａに昇降可能に支持された構成を有する。具体的には、支持手段２ａは、床等に載置される截頭円錐形状の基部２１ａと、基部２１ａに対して鉛直に接続された支柱２２１と、支柱２２１に対して昇降自在に外嵌されたスライド部２２２と、スライド部２２２に対して水平に接続された腕部２２３とを有する。そして、装置本体１は、腕部２２３の先端に取り付けられている。なお、本実施形態では、支柱２２１と、スライド部２２２と、腕部２２３とが支持部２２ａを構成している。
【００１９】
支柱２２１に対するスライド部２２２の高さ調整は、連続的であってもよいし段階的であってもよい。例えば、スライド部２２２の高さを連続的に調整する場合のスライド部２２２の固定は、内周面に雌ネジが螺刻された貫通孔（不図示）をスライド部２２２に設け、この貫通孔にネジを螺入し、ネジの先端を支柱２２１の外周に圧接させることにより行えばよい。なお、スライド部２２２の高さ、すなわち装置本体１の高さ位置は、ペットの種類や習性などから適宜決定すればよい。また、スライド部２２２の高さを段階的に調整する場合のスライド部２２２の固定は、支柱２２１に高さ方向に所定間隔で複数個の貫通孔を形成するとともに、スライド部２２２にも貫通孔を形成し、所望高さに形成された支柱２２１の貫通孔と、スライド部２２２の貫通孔とが重なるように位置させて、２つの貫通孔を貫くようにピンを差し込んでスライド部２２２を所望高さに固定すればよい。
【００２０】
図２及び図３に示すように、装置本体１は、下面開口の円筒状の筺体１６と、筐体１６の上面下に取り付けられた支持板１８と、筐体１６と同じ中心となるように支持板１８に取り付けられた円筒状の遮断部材１５と、遮断部材１５内に取り付けられたファンモーター（送風手段）１３と、支持板１８の外周部に周方向に等間隔に取り付けられた複数の帯状の吊り下げ板１９と、これらの吊り下げ板１９によって保持された、下面開口の円周状の溝部１２を有する反射部材１１と、溝部１２の内周面から離隔して設けられた円周状のカーボンヒーター（赤外線放熱部材）Ｈと、筐体１６の外側面を覆うカバー１７とを有する。なお、反射部材１１の内周面は光を反射するように加工されている。
【００２１】
ファンモーター１３が遮断部材１５内に設けられていることによって、カーボンヒーターＨが点灯されても遮断部材１５内の温度は通常約４０℃以下に抑えられ、ファンモーター１３の正規の寿命が確保されるようになる。加えて、遮断部材１５と溝部１２との間には隙間が形成され、且つ、遮断部材１５の下端部が溝部１２の内側下端部よりも上方に位置し、遮断部材１５の下端部と溝部１２の内側下端部との間に円周状の開口が形成されていることによって、反射部材１１から遮断部材１５への伝熱及び加熱空気の進入が抑制される。これによっても、遮断部材１５内の温度上昇が抑えられる。
【００２２】
遮断部材１５としては、熱を遮断するものであれば特に限定はないが、熱輻射（赤外線）を反射する部材や断熱性の部材が好適に使用される。赤外線を反射する部材としては、光反射性を有する、例えばアルミニウムやステンレス鋼などの金属材料、あるいはプラスチック材料などの表面に金やクロムなどを金属メッキする又は白色塗料を塗布するなどの表面加工を行った部材が例示される。
【００２３】
遮断部材１５の下面開口は、反射部材１１の溝部１２で囲われた部分内に位置し、ファンモーター１３から供給される空気を下方に向けて送り出す送風口１４となっている。また、カバー１７の外周面には、カーボンヒーターＨとファンモーター１３とを入切するスライドスイッチＳ（図３に図示）が設けられている。スライドスイッチＳは２回路２接点のスライドスイッチであって、例えば、左側位置、中間位置、右側位置にスライド可能で、スライドスイッチＳを左側位置にするとカーボンヒーターＨが点灯し、右側位置にするとファンモーター１３が駆動し、中間位置にするとカーボンヒーターＨ及びファンモーター１３は共に切となる。
【００２４】
そして図示していないが、装置本体１の上端には、装置本体１の固定と電気接続が同時に可能な既存のプラグ（電気接続部）が設けられている。このプラグを、腕部２２３の先端に取り付けられている差し込み口（引掛シーリング）に係合させることによって、装置本体１は腕部２２３に取り付けられると同時に電気の取り入れが可能となる。
【００２５】
また、基部２１ａには、暖房装置の転倒を検知する転倒検知センサーが設けられている。ここで使用する転倒検知センサーとしては従来公知のものを使用できる。例えば、図４に示すような、プランジャー９１の出没によって入切がなされるプッシュスイッチが転倒検知センサーとして好適に使用される。具体的には、プッシュスイッチが、プランジャー９１が基部２１ａの底面に対して出没するように基部２１ａ内に設けられる。暖房装置が正常に設置されているときは、バネの付勢力に抗してプランジャー９１は基部２１ａの底面から内側に没し、プッシュスイッチはオンとなる。一方、暖房装置が転倒すると、バネの付勢力によってプランジャー９１が基部２１ａの底面から突出し、プッシュスイッチはオフとなり、装置本体１への電力供給が切断される。転倒検知センサーとしては、プッシュスイッチの他、フォトセンサーを用いた転倒検知スイッチも好適に使用される。
【００２６】
カーボンヒーターＨを点灯させると、カーボンヒーターＨから放射された赤外線は、直接又は溝部１２の内周面で反射して、下面開口から下方に向かって出射される。そして、赤外線の照射領域に居るペットを暖める。装置本体１とペットとの距離が近いほど、赤外線の照射強度は強くなる。すなわち、ペットをより強く暖めることができる。ただし、装置本体１の高さが、ペットが触れることができる高さであると、ペットがカーボンヒーターＨに触れて火傷をしたり、暖房装置を転倒させたりするおそれがあるので、装置本体１の高さは、ペットが触れることができない高さとする必要がある。
【００２７】
本発明で使用する赤外線放射部材として、図１の暖房装置ではカーボンヒーターＨを用いているが、これに限定されるものではなく、ハロゲンヒーターなど赤外線を放射するものであれば従来公知のものが使用できる。赤外線としては波長２．５μｍ以下の近赤外線、波長２．５〜２５μｍの（中間）赤外線、波長２５μｍ以上の遠赤外線のいずれであっても瞬暖性を有するので構わないが、この中でも、波長領域が動物を構成する有機物質や水分子の固有振動数と一致して体に吸収されやすく、また皮膚表面から深部までの分子を一様に共鳴振動させてほぼ同時に発熱させる上、生じた温熱は真皮の上層に分布する、暖かさを感じるルッフィニ小体で瞬間的に感知されることから、遠赤外線が好適である。なお、赤外線放射部材からの放射光には赤外線の他、可視光線が含まれていても構わない。この場合、赤外線放射部材から放射される可視光線を補助的な照明として用いることができる。
【００２８】
また、反射部材１１及びカバー１７の表面には消臭層（不図示）が形成されている。この消臭層によって、ペットの体臭や糞尿などから生じる臭気を分解し抑えられる。消臭層には、酸化分解触媒系の脱臭剤が好適に含有される。「酸化分解」とは、例えば、鉄やアルミニウム等の金属又はそれらの酸化物を触媒として、空気中の酸素とアンモニア等の臭い物質とを反応させて酸化し、臭い物質を分解するというものである。酸化分解触媒系の脱臭剤としては、例えば、酸化珪素，酸化アルミニウム，酸化マンガン等の遷移金属酸化物と白金とを担持させた酸化チタンからなる消臭セラミックス粉体、活性炭等の多孔性物質に一種以上の金属酢酸塩を担持したもの、ゼオライト又は珪酸マグネシウムと活性アルミナと白金属金属塩とを主剤としたもの、ゼオライトに金及び鉄の酸化物を担持したもの等が好適に使用される。
【００２９】
消臭層は、反射部材１１及びカバー１７の表面の他、装置本体１及び支持手段２ａの外部に露出している部分に形成してもよい。特に紫外線が当たる部分に形成するのが好ましい。紫外線の照射によって臭い物質の分解反応が促進されるからである。なお、カーボンヒーターＨからは紫外線は出射されないが、室内灯や外光などには紫外線が含まれているので、室内灯や外光が当たる部分に消臭層を形成するのが望ましい。
【００３０】
このような暖房装置の使用について次に説明する。冬場に、飼い主が外出する場合など、室内にペットだけが残される場合に、本発明の暖房装置のカーボンヒーターＨをオンにする。すると、カーボンヒーターＨから照射される赤外線によって照射部分が加熱され暖かくなる。当初、赤外線照射領域にペットが居なかった場合でも、当該領域の温度が上昇すると、それを感じてペットは当該領域に移動する。これにより、ペットは暖をとれ、しかも室内全体を暖めていた従来の暖房に比べて省エネルギー化が図れる。また、装置本体１は、ペットの上方に配置されているので、ペットの糞尿等により装置本体１が故障するおそれはない。
【００３１】
また、夏場においては、ファンモーター１３を稼働させることにより、ペットに風を送ることができ、凉を感じさせることもできる。
【００３２】
その他、タイマー装置をさらに設け、所定時刻になれば自動的にカーボンヒーターＨがオン又はオフするようにしてもよい。あるいはまた、カーボンヒーターＨをオンにしてから所定時間後にオフとなるようにしてもよい。
【００３３】
（第２実施形態）
図５に、本発明に係る暖房装置の他の実施形態を示す構成図を示す。この図に示す暖房装置は、前述の実施形態の暖房装置とは支持手段が異なる。図５に示す支持手段２ｂは、棒状部材を四角形状に屈曲成形した基部２１ｂと、基部２１ｂに対して鉛直に接続した円筒状の第１支柱部２２４と、第１支柱部２２４に昇降自在に嵌め入れられた逆Ｊ字状の第２支柱部２２５とを有する。そして、第２支柱部２２５の自由端側の端部に装置本体１が取り付けられる。装置本体１の第２支柱部２２５への取付構造は前記実施形態と同様である。なお、本実施形態では、第１支柱部２２４と第２支柱部が支持部２２ｂを構成する。
【００３４】
支持部２２ｂの高さ調整は、第１支柱部２２４に対して第２支柱部２２５を出入させることによって行う。そして、第２支柱部２２５の所望位置での固定は、内周面に雌ネジが螺刻された貫通孔（不図示）を第１支柱部２２４に設け、この貫通孔にネジを螺入し、ネジの先端を第２支柱部２２５の外周に圧接させることにより行えばよい。あるいは、第２支柱部２２５に高さ方向に所定間隔で複数個の貫通孔を形成するとともに、第１支柱部２２４にも貫通孔を形成し、所望高さに形成された第２支柱部２２５の貫通孔と、第１支柱部２２４の貫通孔とが重なるように位置させて、２つの貫通孔を貫くようにピンを差し込んで第２支柱部２２５を所望高さに固定すればよい。
【００３５】
この実施形態では、四角形状に屈曲成形された基部２１ｂ内が、装置本体１からの赤外線照射領域となるので、カーボンヒーターＨを点灯させることなく照射領域を把握できる。また、基部２１ｂで囲まれた領域にマットなどを敷設することによってペット居住環境を良くすることもできる。
【００３６】
（第３実施形態）
図６に、本発明に係る暖房装置の他の実施形態を示す構成図を示す。この図に示す暖房装置も、図１に示した実施形態の暖房装置とは支持手段が異なる。図６に示す支持手段２ｃは、伸縮自在の棒状の支柱部２２ｃと、支柱部２２ｃに昇降自在に外嵌されたスライド部２２２と、スライド部２２２に対して水平に接続され、先端部が下方に屈曲した腕部２２３とを有する。そして、腕部２２３の先端に装置本体１が取り付けられている。
【００３７】
支柱部２２ｃは、中空円筒状の支柱２２６の内側に支柱２２７が出入自在に嵌め入れられてなる。支柱部２２ｃの固定は、床と天井との間に支柱部２２ｃを位置させた状態で、支柱２２６に対して支柱２２７を出入させて支柱部２２ｃの上下端を床と天井とに圧接させ、固定ネジ２２８を締め付けて支柱２２６に対して支柱２２７を固定し、支柱部２２ｃを固定する。
【００３８】
支柱部２２ｃに対するスライド部２２２の高さ調整は、連続的であってもよいし段階的であってもよく、第１実施形態で例示した調整構造がここでも用いることができる。
【００３９】
本実施形態の暖房装置では、支柱部２２ｃを支える基部を必要としないので、設置に必要な床面積が小さくなる。
【００４０】
（第４実施形態）
図７に、本発明に係る暖房装置のさらに他の実施形態を示す構成図を示す。この図に示す暖房装置も、図１に示した実施形態の暖房装置とは支持手段が異なる。図７に示す支持手段２ｄは、側壁に取り付けた基部２１ｄと、基部２１ｄに連結した蛇腹状のフレキシブルアーム２２ｄとを有する。そして、フレキシブルアーム２２ｄの先端に装置本体１が取り付けられている。フレキシブルアーム２２ｄは装置本体１を昇降移動のみならず３次元的に移動可能とし、装置本体１の移動に関して高い自由度が得られる。なお、本実施形態では、支持手段２ｄの基部２１ｄは側壁に取り付けられいるが、天井に取り付けてももちろん構わない。また、フレキシブルアーム２２ｄに代えて、ヒンジにより連結した複数個の棒状体からなる屈折可能なアームを用いても同様の効果が得られる。
【００４１】
（第５実施形態）
図８に、本発明に係る暖房装置のさらに他の実施形態を示す構成図を示す。この図に示す暖房装置も、図１に示した実施形態の暖房装置とは支持手段が異なる。図８に示す暖房装置では、支持手段２ｅとしてワイヤＷを昇降させるバネ力昇降装置２３を用い、このバネ力昇降装置２３を天井に取り付け、ワイヤＷによって装置本体１を吊持している。そして、ワイヤＷにカールコードＣを巻付けて装置本体１に接続している。装置本体１の昇降は、装置本体１に上方又は下方に力を加えることによって、ワイヤＷがバネ力昇降装置２３に巻き取り・送り出しされることにより行われる。なお、駆動部を設けて、ワイヤを駆動部で繰り出し・巻き取りすることで、装置本体を昇降させるようにしても構わない。
【符号の説明】
【００４２】
１    装置本体
１１    反射部材
１２    溝部
１３    ファンモーター（送風手段）
１４    送風口
２ａ〜２ｅ    支持手段
２１ａ、２１ｂ    基部
２２ａ，２２ｂ，２２ｃ    支持部
Ｈ    カーボンヒーター（赤外線放射部材）
Ｓ    スライドスイッチ
【図１】
2016036325.tif 000003
【図２】
2016036325.tif 000004
【図３】
2016036325.tif 000005
【図４】
2016036325.tif 000006
【図５】
2016036325.tif 000007
【図６】
2016036325.tif 000008
【図７】
2016036325.tif 000009
【図８】
2016036325.tif 000010